(57)【特許請求の範囲】
【請求項１】
通気口２と作動レバー挿通口７を有する本体１と、
前記本体１の後面下部に起立した閉じ状態と倒伏した開き状態に亘って上下揺動自在に取付けた遮蔽板１０と、
前記本体１の作動レバー挿通口７を挿通して長手方向一端部が遮蔽板１０に上下揺動自在に連結され、長手方向他端部にストッパ２２を備え、長手方向中間部にロック部材挿通口２６を有する作動レバー２０と、
前記本体１に回転自在に取付けられ、前記ロック部材挿通口２６を挿通する第１の位置と前記作動レバー２０の前面に接する第２の位置に亘って回転可能なロック部材３０より構成したことを特徴とする床下換気装置。
【請求項２】
前記本体１は、その作動レバー挿通口７よりも下方に引き寄せ用突部８を備え、
前記遮蔽板１０は作動レバー取付部１１を備え、
前記遮蔽板１０が起立した閉じ状態の時に作動レバー取付部１１が作動レバー挿通口７を挿通して本体１の前面よりも突出し、かつ作動レバー２０の連結部よりも下方が引き寄せ用突部８に当接するようにした請求項１記載の床下換気装置。
【発明の詳細な説明】
【０００１】
【発明の属する技術分野】
本発明は、建物の基礎に形成した換気口に取付けられ床下を自然換気する床下換気装置に関する。
【０００２】
【従来の技術】
特開平８−１５８４９７号公報に示す床下換気装置が提案されている。
この床下換気装置は図７に示すように、通気口を有するベース板５０と、遮蔽板５１と、支持部材５２と、作動レバー５３を備え、図７（ａ）に示すように作動レバー５３の係合突起５４をベース板５０に係合することで遮蔽板５１を開き状態に保持し、図７（ｂ）に示すように支持部材５２の支持軸５５と作動レバー５３のスライド孔５６で遮蔽板５１を閉じ状態でロックする形状である。
【０００３】
【発明が解決しようとする課題】
前述の床下換気装置においては、開き状態で保持されている遮蔽板５１を閉じ状態としてロックするには作動レバー５３を矢印ａ方向に移動して係合突起５４の係合を解除する第１の操作、作動レバー５３を矢印ｂ方向に移動して遮蔽板５１を閉じる第２の操作、作動レバー５３を矢印ｃ方向に回動してベース板５０に当接する第３の操作、作動レバー５３を矢印ｄ方向に移動して支持軸５５とスライド孔５６で遮蔽板５１を閉じ状態でロックする第４の操作が必要である。
また、閉じ状態でロックされた遮蔽板５１を開き状態として保持するには矢印ｅ，ｆ，ｇ，ｈで示すように前述と反対の第１，第２，第３，第４の操作を行なう必要がある。
【０００４】
前述のように遮蔽板５１を閉じ状態でロック、開き状態で保持するには第１，第２，第３，第４の操作が必要であり、その操作が面倒である。
【０００５】
そこで、本発明は前述の課題を解決できるようにした床下換気装置を提供することを目的とする。
【０００６】
【課題を解決するための手段】
第１の発明は、通気口２と作動レバー挿通口７を有する本体１と、
前記本体１の後面下部に起立した閉じ状態と倒伏した開き状態に亘って上下揺動自在に取付けた遮蔽板１０と、
前記本体１の作動レバー挿通口７を挿通して長手方向一端部が遮蔽板１０に上下揺動自在に連結され、長手方向他端部にストッパ２２を備え、長手方向中間部にロック部材挿通口２６を有する作動レバー２０と、
前記本体１に回転自在に取付けられ、前記ロック部材挿通口２６を挿通する第１の位置と前記作動レバー２０の前面に接する第２の位置に亘って回転可能なロック部材３０より構成したことを特徴とする床下換気装置である。
【０００７】
第２の発明は、第１の発明において前記本体１は、その作動レバー挿通口７よりも下方に引き寄せ用突部８を備え、
前記遮蔽板１０は作動レバー取付部１１を備え、
前記遮蔽板１０が起立した閉じ状態の時に作動レバー取付部１１が作動レバー挿通口７を挿通して本体１の前面よりも突出し、かつ作動レバー２０の連結部よりも下方が引き寄せ用突部８に当接するようにした床下換気装置である。
【０００８】
【作  用】
第１の発明によれば、遮蔽板１０が開き状態の時に作動レバー２０のストッパ２２が本体１の作動レバー挿通口７周縁に当接し、遮蔽板１０を開き状態に保持する。
遮蔽板１０が閉じ状態の時には作動レバー２０が下方に揺動し、そのロック部材挿通口２６がロック部材３０を挿通するので、そのロック部材３０を第２の位置に回転することで作動レバー２０を上方に揺動しないようにロックし、遮蔽板１０を閉じ状態にロックする。
【０００９】
このようであるから、閉じ状態でロックされている遮蔽板１０を開き状態とする場合には、ロック部材３０を第１の位置に回転し、作動レバー２０をロック部材３０から抜き出して上方に揺動することで遮蔽板１０が自重で傾倒して開き状態となり、作動レバー２０のストッパ２２が本体１の作動レバー挿通口７の周縁に当接して保持する。
したがって、ロック部材３０の回転操作と、作動レバー２０の抜け出し及び上方への揺動操作で閉じ状態でロックされている遮蔽板１０を開き状態で保持でき、その操作が容易である。
【００１０】
また、開き状態で保持されている遮蔽板１０を閉じ状態でロックする場合には、作動レバー２０を引張りながら下方に揺動して遮蔽板１０を閉じ状態とし、そのロック部材挿通口２６をロック部材３０に挿通する。ロック部材３０を第２の位置に回転して作動レバー２０をロックすることで遮蔽板１０を閉じ状態にロックできる。
したがって、作動レバー２０の引張りながらの下方への揺動操作と、ロック部材挿通口２６をロック部材３０に挿通する操作と、ロック部材３０を回転する操作で、開き状態に保持されて遮蔽板１０を閉じ状態でロックでき、その操作が容易である。
【００１１】
第２の発明によれば、遮蔽板１０を閉じ状態とし作動レバー２０のロック部材挿通口２６をロック部材３０に挿通し、そのロック部材３０を第２の位置に回転して作動レバー２０の前面に接した時に、作動レバー２０は引き寄せ用突部８との当接部を支点として連結部と反対側部分が本体１に接近する方向に揺動付勢され、遮蔽板１０は本体１に引き寄せられる。
したがって、遮蔽板１０を本体１に十分に引き寄せでき、気密材を装着することで気密性が向上するので、通気口２を通して空気が流通することを確実に防止できる。
【００１２】
【発明の実施の形態】
図１に示すように、本体１と遮蔽板１０と作動レバー２０とロック部材３０で床下換気装置を形成している。
前記本体１は図２に示すように複数の通気口２を有するプレート３と、このプレート３の外周縁に一体的に設けた枠４で後面側に開口した遮蔽板収納凹部５を有する矩形状で、枠４の外周面に取付用フランジ６が４周連続して一体的に設けてある。
図４に仮想線で示すように建物の基礎４０の開口部４１に本体１の枠４を挿入し、取付用フランジ６を開口部４１の周縁部に固着して本体１を取付ける。
前記プレート３の左右中間で上部寄りに作動レバー挿通口７が形成してあり、この作動レバー挿通口７よりも下方のプレート３の前面に引き寄せ用突部８が前方に突出して一体的に設けてあり、この引き寄せ用突部８よりも下方のプレート３の前面にロック部材取付部９が一体的に設けてある。
【００１３】
前記遮蔽板１０は、本体１の遮蔽板収納凹部５に収納される矩形板状で、その前面左右中間で上部寄りに作動レバー取付部１１が一体的に設けてある。この作動レバー取付部１１は幅広基部１１ａと幅狭先部１１ｂを有し、前記本体１の作動レバー挿通口７に挿通する大きさで、その幅狭先部１１ｂに左右方向に向う横向穴１２が形成してある。
【００１４】
前記遮蔽板１０の後面には凹陥部１３が形成してあり、この凹陥部１３に図３，図４に示すように断熱材１４、例えば発泡スチロールが充填してある。
前記遮蔽板１０の下部両側に形成した横向穴１５と前記枠４の下部に形成した横向穴１６に図３に示すように支軸１７が嵌合され、遮蔽板１０は支軸１７を中心として起立した閉じ状態と倒伏した開き状態とに亘って上下に揺動自在に連結してある。
【００１５】
前記作動レバー２０は、幅狭く前記作動レバー挿通口７に挿通する大きさの長尺なレバー２１と、このレバー２１の長手方向一端部に一体的に設けた幅広く前記作動レバー挿通口７を挿通しない大きさのストッパ２２を備えている。
前記レバー２１の長手方向他端部に溝部２３と、この溝部２３に開口する横向穴２４が形成され、その溝部２３にレバー取付部１１の幅狭先部１１ｂを嵌め合せて横向穴２４と横向穴１２に軸２５を嵌合して図２、図４に示すように作動レバー２０は遮蔽板１０に上下揺動自在に連結されている。
【００１６】
前記作動レバー２０のレバー２１の長手方向中間部に前面と後面に貫通したロック部材挿通口２６が形成してある。
このロック部材挿通口２６はほぼ長円形状の幅広口２６ａと、この幅広口２６ａの長手方向両端部分と連続しほぼ矩形状の一対の幅狭口２６ｂから成る。
この幅広口２６ａにロック部材取付部９が挿通可能である。
【００１７】
前記ロック部材３０は円柱形状の取付部３１と、この取付部３１に一体的に設けた板状の一対のロック部３２を備えている。その取付部３１の小径部がロック部材取付部９の凹部に図４，図５に示すように回転可能に嵌合されて固着具３３で抜け止めしてある。
前記取付部３１はロック部材挿通口２６の幅広口２６ａを挿通可能な大きさである。ロック部３２は幅狭口２６ｂの幅よりも若干小さい幅で、ロック部３２を幅狭口２６ｂの向き（上下方向）と合せるとロック部３２が幅狭口２６ｂを挿通可能で、図２，図５に示すように向きを異ならせると挿通できないと共に、レバー２１の前面に接する。
【００１８】
次に遮蔽板１０の開閉操作を説明する。
図２と図４に示すように遮蔽板１０を閉じ状態とした時には作動レバー取付部１１が本体１の作動レバー挿通口７を挿通して本体１の前方に突出し、作動レバー２０は本体１の前方で下向に揺動してストッパ２２が本体１の前面（プレート３の前面３ａ）に当接する。
【００１９】
ロック部材３０の一対のロック部３２は図２に示すようにロック部材挿通口２６の一対の幅狭口２６ｂと９０度位相がずれた状態に回転され、その一対のロック部３２が作動レバー２０のレバー２１前面に接して作動レバー２０（ストッパ２２）を本体１の前面に押しつけて作動レバー２０が上方に揺動しないように保持し、遮蔽板１０に閉じ状態でロックしている。
【００２０】
また、作動レバー２０の連結部寄り後面２０ａ（レバー２１の長手方向他端部寄り後面２１ａ）が引き寄せ用突部８に接し、ロック部材３０の一対のロック部３２が作動レバー２０の中間部前面２０ｂ（レバー２１の長手方向一端部寄り前面２１ｂ）に接することで、作動レバー２０は引き寄せ用突部８との当接部分を支点として図４で反時計方向（作動レバー２０の連結部と反対側部が本体１に向う方向）に揺動付勢される。
【００２１】
これにより、遮蔽板１０は本体１に向けて引き寄せられ、本体１のプレート３周囲後面に装着した気密材４３に遮蔽板１０の前面が圧着するので気密性が向上する。したがって通気口２を通って床下と外部とに空気が流通することを確実に防止できる。
【００２２】
作動レバー２０の連結部（軸２５）は引き寄せ用突部８よりも前方に位置し、作動レバー２０を前述のようにロック部材３０でロックした状態で、その作動レバー２０は垂直に対して連結部がストッパ２２（本体当接部）が前方に位置するよう斜めとなっているので、より強固にロックできる。
【００２３】
しかも、作動レバー２０の中間部前面２０ｂはほぼ垂直（本体１の前面と略平行）であるので、ロック部材３０のロック部３２が均一に接し、より一層強固にロックできる。
【００２４】
閉じ状態でロックされている遮蔽板１０を開き状態とする場合には、ロック部材３０を図２に矢印ｉで示すようにほぼ９０度回転して一対のロック部３２を一対の幅狭口２６ｂと合致させる。
作動レバー２０を図４で矢印ｊで示すように上方に向けて揺動し、一対の幅狭口２６ｂを一対のロック部３２に沿って移動して作動レバー２０をロック部材３０から抜き出す。
【００２５】
作動レバー２０をさらに上方に向けて揺動しながら本体１に向けて押すことで遮蔽板１０が支軸１７を中心として下方に揺動し、それ以降は遮蔽板１０は自重で下方に向けて揺動し作動レバー２０が本体１の作動レバー挿通口７を通って後面側に向けて移動する。
【００２６】
図６に示すように遮蔽板１０が開き状態となると作動レバー２０のストッパ２２が本体１（プレート３）の作動レバー挿通口７周縁に当接して遮蔽板１０を開き状態に保持する。
【００２７】
このように、ロック部材３０の回転と作動レバー２０の揺動の２つの操作で遮蔽板１０を開き状態として保持でき、その操作が容易できる。
【００２８】
図６に示すように開き状態で保持されている遮蔽板１０を閉じ状態でロックする場合は、作動レバー２０のストッパ２２を持って矢印ｋに示すように本体１の前面側方向に引張りながら下方に向けて揺動する。
【００２９】
作動レバー２０の一対の幅狭口２６ｂをロック部材３０の一対のロック部３２にそれぞれ挿通し、ロック部材３０をほぼ９０度回転して一対のロック部３２を作動レバー２０の中間部前面２０ｂに押しつける。
【００３０】
このように、作動レバー２０の引き込み操作と、ロック部３２を幅狭口２６ｂに挿入する操作と、ロック部材３０を回転する操作で開き状態に保持された遮蔽板１０を閉じ状態でロックでき、その操作が容易である。
【００３１】
【発明の効果】
請求項１に係る発明によれば、遮蔽板１０が開き状態の時に作動レバー２０のストッパ２２が本体１の作動レバー挿通口７周縁に当接し、遮蔽板１０を開き状態に保持する。
遮蔽板１０が閉じ状態の時には作動レバー２０が下方に揺動し、そのロック部材挿通口２６がロック部材３０を挿通するので、そのロック部材３０を第２の位置に回転することで作動レバー２０を上方に揺動しないようにロックし、遮蔽板１０を閉じ状態にロックする。
【００３２】
このようであるから、閉じ状態でロックされている遮蔽板１０を開き状態とする場合には、ロック部材３０を第１の位置に回転し、作動レバー２０をロック部材３０から抜き出して上方に揺動することで遮蔽板１０が自重で傾倒して開き状態となり、作動レバー２０のストッパ２２が本体１の作動レバー挿通口７の周縁に当接して保持する。
したがって、ロック部材３０の回転操作と、作動レバー２０の抜け出し及び上方へ揺動操作で閉じ状態でロックされている遮蔽板１０を開き状態で保持でき、その操作が容易である。
【００３３】
また、開き状態で保持されている遮蔽板１０を閉じ状態でロックする場合には作動レバー２０を引張りながら下方に揺動して遮蔽板１０を閉じ状態とし、そのロック部材挿通口２６をロック部材３０に挿通する。ロック部材３０を第２の位置に回転して作動レバー２０をロックすることで遮蔽板１０を閉じ状態にロックできる。
したがって、作動レバー２０の引張りながらの下方への揺動操作と、ロック部材挿通口２６をロック部材３０に挿通する操作と、ロック部材３０を回転する操作で、開き状態に保持されて遮蔽板１０を閉じ状態でロックでき、その操作が容易である。
【００３４】
請求項２に係る発明によれば、遮蔽板１０を閉じ状態とし作動レバー２０のロック部材挿通口２６をロック部材３０に挿通し、そのロック部材３０を第２の位置に回転して作動レバー２０の前面に接した時に、作動レバー２０は引き寄せ用突部８との当接部を支点として連結部と反対側部分が本体１に接近する方向に揺動付勢され、遮蔽板１０は本体１に引き寄せられる。
したがって、遮蔽板１０を本体１に十分に引き寄せでき、気密材を装着することで気密性が向上するので、通気口２を通して空気が流通することを確実に防止できる。
【図面の簡単な説明】
【図１】本発明の実施の形態を示す床下換気装置の分解斜視図である。
【図２】床下換気装置の前面図である。
【図３】床下換気装置の後面図である。
【図４】図２のＡ−Ａ断面図である。
【図５】図２のＢ−Ｂ断面図である。
【図６】遮蔽板を開き状態とした時の断面図である。
【図７】従来の床下換気装置の断面図である。
【符号の説明】
１…本体、２…通気口、７…作動レバー挿通口、８…引き寄せ用突部、９…ロック部材取付部、１０…遮蔽板、１１…作動レバー取付部、２０…作動レバー、２１…レバー、２２…ストッパ、２６…ロック部材挿通口、２６ａ…幅広口、２６ｂ…幅狭口、３０…ロック部材、３１…取付部、３２…ロック部、４３…気密材。
【図１】
0003633377.tif 000002
【図２】
0003633377.tif 000003
【図３】
0003633377.tif 000004
【図４】
0003633377.tif 000005
【図５】
0003633377.tif 000006
【図６】
0003633377.tif 000007
【図７】
0003633377.tif 000008